【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
１フレーム期間内または１フィールド期間内に、１フレームまたは１フィールドの映像データを、設定された通信経路で送信または受信する指向性アンテナを有するアンテナ部と、
前記指向性アンテナから送信または受信される映像データを処理する処理部と、
通信経路を第１の通信経路に設定し、前記アンテナ部に１フレームまたは１フィールドの映像データを前記第１の通信経路で送信または受信させ、前記第１の通信経路で前記映像データを送信または受信させたフレーム期間内またはフィールド期間内と同一のフレーム期間内またはフィールド期間内に、通信経路を前記第１の通信経路と異なる第２の通信経路に設定し、前記アンテナ部に、前記第１の通信経路で送信または受信された前記映像データの全部または一部と同じ映像データを前記第２の通信経路で送信または受信させる制御部と、
を有し、
前記制御部は、前記アンテナ部を介して複数の通信経路の無線状態を測定し、前記複数の通信経路の無線状態を測定した結果を示す測定結果情報に基づいて、前記第１の通信経路および前記第２の通信経路を設定する
無線通信端末。
【請求項２】
前記制御部はさらに、前記アンテナ部に、前記第１の通信経路に関する情報および前記第２の通信経路に関する情報を、前記映像データの送信または受信の相手である他の通信端末との間で送信または受信させる請求項１に記載の無線通信端末。
【請求項３】
前記制御部はさらに、複数フレームまたは複数フィールドの映像データを送信または受信する場合、最初の１フレームまたは１フィールドの映像データを送信または受信する時点よりも前の時点で、前記複数の通信経路の無線状態を測定する請求項１に記載の無線通信端末。
【請求項４】
前記制御部はさらに、複数フレームまたは複数フィールドの映像データを送信または受信する場合、前記第１の通信経路および前記第２の通信経路で前記映像データを送信または受信させたフレーム期間内またはフィールド期間内と同一のフレーム期間内またはフィールド期間内に、前記複数の通信経路の無線状態を測定する請求項１に記載の無線通信端末。
【請求項５】
第１のフレーム期間内または第１のフィールド期間内に無線状態を測定する複数の通信経路と、前記第１のフレーム期間内または第１のフィールド期間内の直後の第２のフレーム期間内または第２のフィールド期間内に無線状態を測定する複数の通信経路とが異なる請求項４に記載の無線通信端末。
【請求項６】
前記制御部は、１フレーム期間内または１フィールド期間内に前記映像データを送信または受信したときの通信エラーの発生量が所定の閾値を超える通信経路を次の１フレーム期間内または１フィールド期間内で設定する優先順位を低くする請求項１に記載の無線通信端末。
【請求項７】
前記制御部は、前記第１の通信経路で受信した前記映像データと前記第２の通信経路で受信した前記映像データとにおいて互いに不足するデータを補って前記１フレームまたは１フィールドの映像データを生成する請求項１に記載の無線通信端末。
【請求項８】
第１の無線通信端末および第２の無線通信端末を有し、
前記第１の無線通信端末は、
１フレーム期間内または１フィールド期間内に、１フレームまたは１フィールドの映像データを、設定された通信経路で送信する第１の指向性アンテナを有する第１のアンテナ部と、
前記第１の指向性アンテナから送信される映像データを処理する第１の処理部と、
通信経路を第１の通信経路に設定し、前記第１のアンテナ部に１フレームまたは１フィールドの映像データを前記第１の通信経路で送信させ、前記第１の通信経路で前記映像データを送信させたフレーム期間内またはフィールド期間内と同一のフレーム期間内またはフィールド期間内に、通信経路を前記第１の通信経路と異なる第２の通信経路に設定し、前記第１のアンテナ部に、前記第１の通信経路で送信された前記映像データの全部または一部と同じ映像データを前記第２の通信経路で送信させる第１の制御部と、
を有し、
前記第２の無線通信端末は、
１フレーム期間内または１フィールド期間内に、１フレームまたは１フィールドの映像データを、設定された通信経路で受信する第２の指向性アンテナを有する第２のアンテナ部と、
前記第２の指向性アンテナから受信される映像データを処理する第２の処理部と、
通信経路を前記第１の通信経路に設定し、前記第２のアンテナ部に１フレームまたは１フィールドの映像データを前記第１の通信経路で受信させ、前記第１の通信経路で前記映像データを受信させたフレーム期間内またはフィールド期間内と同一のフレーム期間内またはフィールド期間内に、通信経路を前記第２の通信経路に設定し、前記第２のアンテナ部に、前記第１の通信経路で受信された前記映像データの全部または一部と同じ映像データを前記第２の通信経路で受信させる第２の制御部と、
を有し、
前記第１の制御部と前記第２の制御部とのうち少なくとも一方は、前記第１のアンテナ部または前記第２のアンテナ部を介して複数の通信経路の無線状態を測定し、前記複数の通信経路の無線状態を測定した結果を示す測定結果情報に基づいて、前記第１の通信経路および前記第２の通信経路を設定する
無線通信システム。
【請求項９】
１フレーム期間内または１フィールド期間内に、１フレームまたは１フィールドの映像データを、設定された通信経路で送信または受信する指向性アンテナを有するアンテナ部と、前記指向性アンテナから送信または受信される映像データを処理する処理部とを有する無線通信端末が無線通信を行う無線通信方法であって、
通信経路を第１の通信経路に設定する第１のステップと、
前記アンテナ部に１フレームまたは１フィールドの映像データを前記第１の通信経路で送信または受信させる第２のステップと、
前記第１の通信経路で前記映像データを送信または受信させたフレーム期間内またはフィールド期間内と同一のフレーム期間内またはフィールド期間内に、通信経路を前記第１の通信経路と異なる第２の通信経路に設定する第３のステップと、
前記アンテナ部に、前記第１の通信経路で送信または受信された前記映像データの全部または一部と同じ映像データを前記第２の通信経路で送信または受信させる第４のステップと、
前記アンテナ部を介して複数の通信経路の無線状態を測定し、前記複数の通信経路の無線状態を測定した結果を示す測定結果情報に基づいて、前記第１の通信経路および前記第２の通信経路を設定する第５のステップと、
を有する無線通信方法。
【請求項１０】
１フレーム期間内または１フィールド期間内に、１フレームまたは１フィールドの映像データを、設定された通信経路で送信または受信する指向性アンテナを有するアンテナ部と、前記指向性アンテナから送信または受信される映像データを処理する処理部とを有する無線通信端末のコンピュータに、
通信経路を第１の通信経路に設定する第１のステップと、
前記アンテナ部に１フレームまたは１フィールドの映像データを前記第１の通信経路で送信または受信させる第２のステップと、
前記第１の通信経路で前記映像データを送信または受信させたフレーム期間内またはフィールド期間内と同一のフレーム期間内またはフィールド期間内に、通信経路を前記第１の通信経路と異なる第２の通信経路に設定する第３のステップと、
前記アンテナ部に、前記第１の通信経路で送信または受信された前記映像データの全部または一部と同じ映像データを前記第２の通信経路で送信または受信させる第４のステップと、
前記アンテナ部を介して複数の通信経路の無線状態を測定し、前記複数の通信経路の無線状態を測定した結果を示す測定結果情報に基づいて、前記第１の通信経路および前記第２の通信経路を設定する第５のステップと、
を実行させるためのプログラム。
【手続補正２】
【補正対象書類名】明細書
【補正対象項目名】００１０
【補正方法】変更
【補正の内容】
【００１０】
本発明は、上記の課題を解決するためになされたもので、１フレーム期間内または１フィールド期間内に、１フレームまたは１フィールドの映像データを、設定された通信経路で送信または受信する指向性アンテナを有するアンテナ部と、前記指向性アンテナから送信または受信される映像データを処理する処理部と、通信経路を第１の通信経路に設定し、前記アンテナ部に１フレームまたは１フィールドの映像データを前記第１の通信経路で送信または受信させ、前記第１の通信経路で前記映像データを送信または受信させたフレーム期間内またはフィールド期間内と同一のフレーム期間内またはフィールド期間内に、通信経路を前記第１の通信経路と異なる第２の通信経路に設定し、前記アンテナ部に、前記第１の通信経路で送信または受信された前記映像データの全部または一部と同じ映像データを前記第２の通信経路で送信または受信させる制御部と、を有し、前記制御部は、前記アンテナ部を介して複数の通信経路の無線状態を測定し、前記複数の通信経路の無線状態を測定した結果を示す測定結果情報に基づいて、前記第１の通信経路および前記第２の通信経路を設定する無線通信端末である。
【手続補正３】
【補正対象書類名】明細書
【補正対象項目名】００１１
【補正方法】変更
【補正の内容】
【００１１】
また、本発明は、第１の無線通信端末および第２の無線通信端末を有し、前記第１の無線通信端末は、１フレーム期間内または１フィールド期間内に、１フレームまたは１フィールドの映像データを、設定された通信経路で送信する第１の指向性アンテナを有する第１のアンテナ部と、前記第１の指向性アンテナから送信される映像データを処理する第１の処理部と、通信経路を第１の通信経路に設定し、前記第１のアンテナ部に１フレームまたは１フィールドの映像データを前記第１の通信経路で送信させ、前記第１の通信経路で前記映像データを送信させたフレーム期間内またはフィールド期間内と同一のフレーム期間内またはフィールド期間内に、通信経路を前記第１の通信経路と異なる第２の通信経路に設定し、前記第１のアンテナ部に、前記第１の通信経路で送信された前記映像データの全部または一部と同じ映像データを前記第２の通信経路で送信させる第１の制御部と、を有し、前記第２の無線通信端末は、１フレーム期間内または１フィールド期間内に、１フレームまたは１フィールドの映像データを、設定された通信経路で受信する第２の指向性アンテナを有する第２のアンテナ部と、前記第２の指向性アンテナから受信される映像データを処理する第２の処理部と、通信経路を前記第１の通信経路に設定し、前記第２のアンテナ部に１フレームまたは１フィールドの映像データを前記第１の通信経路で受信させ、前記第１の通信経路で前記映像データを受信させたフレーム期間内またはフィールド期間内と同一のフレーム期間内またはフィールド期間内に、通信経路を前記第２の通信経路に設定し、前記第２のアンテナ部に、前記第１の通信経路で受信された前記映像データの全部または一部と同じ映像データを前記第２の通信経路で受信させる第２の制御部と、を有し、前記第１の制御部と前記第２の制御部とのうち少なくとも一方は、前記第１のアンテナ部または前記第２のアンテナ部を介して複数の通信経路の無線状態を測定し、前記複数の通信経路の無線状態を測定した結果を示す測定結果情報に基づいて、前記第１の通信経路および前記第２の通信経路を設定する無線通信システムである。
【手続補正４】
【補正対象書類名】明細書
【補正対象項目名】００１２
【補正方法】変更
【補正の内容】
【００１２】
また、本発明は、１フレーム期間内または１フィールド期間内に、１フレームまたは１フィールドの映像データを、設定された通信経路で送信または受信する指向性アンテナを有するアンテナ部と、前記指向性アンテナから送信または受信される映像データを処理する処理部とを有する無線通信端末が無線通信を行う無線通信方法であって、通信経路を第１の通信経路に設定する第１のステップと、前記アンテナ部に１フレームまたは１フィールドの映像データを前記第１の通信経路で送信または受信させる第２のステップと、前記第１の通信経路で前記映像データを送信または受信させたフレーム期間内またはフィールド期間内と同一のフレーム期間内またはフィールド期間内に、通信経路を前記第１の通信経路と異なる第２の通信経路に設定する第３のステップと、前記アンテナ部に、前記第１の通信経路で送信または受信された前記映像データの全部または一部と同じ映像データを前記第２の通信経路で送信または受信させる第４のステップと、前記アンテナ部を介して複数の通信経路の無線状態を測定し、前記複数の通信経路の無線状態を測定した結果を示す測定結果情報に基づいて、前記第１の通信経路および前記第２の通信経路を設定する第５のステップと、を有する無線通信方法である。
【手続補正５】
【補正対象書類名】明細書
【補正対象項目名】００１３
【補正方法】変更
【補正の内容】
【００１３】
また、本発明は、１フレーム期間内または１フィールド期間内に、１フレームまたは１フィールドの映像データを、設定された通信経路で送信または受信する指向性アンテナを有するアンテナ部と、前記指向性アンテナから送信または受信される映像データを処理する処理部とを有する無線通信端末のコンピュータに、通信経路を第１の通信経路に設定する第１のステップと、前記アンテナ部に１フレームまたは１フィールドの映像データを前記第１の通信経路で送信または受信させる第２のステップと、前記第１の通信経路で前記映像データを送信または受信させたフレーム期間内またはフィールド期間内と同一のフレーム期間内またはフィールド期間内に、通信経路を前記第１の通信経路と異なる第２の通信経路に設定する第３のステップと、前記アンテナ部に、前記第１の通信経路で送信または受信された前記映像データの全部または一部と同じ映像データを前記第２の通信経路で送信または受信させる第４のステップと、前記アンテナ部を介して複数の通信経路の無線状態を測定し、前記複数の通信経路の無線状態を測定した結果を示す測定結果情報に基づいて、前記第１の通信経路および前記第２の通信経路を設定する第５のステップと、を実行させるためのプログラムである。